(57)【要約】      （修正有）【課題】繁殖してその処分に難儀する真竹のような細径の竹を活用し、一方、産業廃棄物として発生する樹木の根株に付着している土をふるい落としたり掻き落としたりして、多量に貯まる土を客土として有効利用できる。【解決手段】内径が２．５〜４．０ｃｍ以内を可とする竹筒を節部(9)が中間位置になるようにして長さが２０ｃｍ〜２５ｃｍ程度の本体１とし、本体の下端部位を鋭角に斜断して鋭角切り口２とし、上端部位も下端の鋭角切り口と同じ向きで斜断して鋭角切り口３とし、下端の最長の鋭角先端部２1を除く鋭角切り口の直径方向に上端の鋭角切り口３に所定幅Ｗの繋ぎ部５を残して複数のスリット４を形成し、本体１の節部９より上側の筒内６に客土７を敷き詰め、その客土の上に種子８を発芽と発根し易い向きに置くと共に、その上から客土７′を覆土した構成。【選択図】図１
0003118738.tif 000002
【実用新案登録請求の範囲】
【請求項１】
内径(R)が２．５〜４．０ｃｍ以内を可とする竹筒を節部(9)が中間位置になるようにして長さが２０ｃｍ〜２５ｃｍ程度の本体(1)とし、その本体の下端部位を鋭角に斜断して鋭角切り口(2)とし、且つ上端部位も下端の鋭角切り口と同じ向きで斜断して鋭角切り口(3)とし、下端の最長の鋭角先端部(21)を除く鋭角切り口の直径方向に鋸目の切り溝を入れて上端の鋭角切り口(3)に所定幅(ｗ)の繋ぎ部(5)を残して複数のスリット(4)を形成し、本体(1)の節部(9)より上側の筒内(6)に客土(7)を敷き詰め、その客土の上にドングリその他の在来種等の種子(8)を発芽と発根し易い向きに置くと共に、その上から客土(7′)を覆土したことを特徴とする種子育成緑化用竹製ポット。
【考案の詳細な説明】
【技術分野】
【０００１】
本考案は、種子育成緑化用竹製ポットに関するもので、繁殖してその処分に難儀する真竹のような細径の竹を活用し、一方では、産業廃棄物として発生する樹木の根株に付着している土をふるい落としたり掻き落としたりして、多量に貯まる土を種子育成の客土として有効利用できるようにしたものである。
【背景技術】
【０００２】
最近は地方によって、竹の繁殖でその処分に苦慮している自治体や作物専業家や地主が多く存在する。これ等竹材のうち孟宗竹のような太径であれば活用の途もあるが、真竹のような細い内径のものは、活用の途がない。
【０００３】
ところで、最近は植栽用ポットとして、竹筒を用いて下端を鋭角に斜断して植栽が困難な場所に打ち込んで苗木の活着と、成長を図る考案は知られている。（例えば、特許文献１〜特許文献３）
【特許文献１】実用新案登録第３０８３６６３号の考案
【特許文献２】実用新案登録第３０９１１３０号の考案
【特許文献３】実用新案登録第３１１４４１６号の考案
【０００４】
上記特許文献１にあっては、竹製を含む中空体の底部を斜断して成るポットであって筒体の内径を２０ｍｍ以上とし、中空部の容積を１００〜２０００ｍｌとした植栽用ポットの構成である。
【０００５】
特許文献２にあっては、竹の節部の仕切り壁を横切るようにして竹を斜断し、その斜断部を底部とする竹製筒体で成る植栽用ポットの構成である。
【０００６】
特許文献３にあっては、上下貫通した開放端を有する竹材を含む生分解性素材よりなる筒状体の上端を軸心に対し直交方向に近い切り口の加圧端とし、下端を軸心方向に対し鋭角に交差する切り口の差込端とし、且つ下半部に無数のこ孔をあけた植栽ポットの構成である。
【考案の開示】
【考案が解決しようとする課題】
【０００７】
上記の特許文献１は、中間に底となる節がない中空筒体であるから、地山に打ち込む前に客土や種子を筒内に入れておくと下端側からこぼれ落ちてしまって不適である。どうしても打ち込む前に客土や種子を入れようとするときは、下端の斜断した鋭角切り口にネット状物をで被覆しなければ用をなさない。
【０００８】
上記の特許文献２は、下端部近くに節を斜めに横切って斜断した形状であるから、筒内に底の一部となる節が半分あるため、あらじめ筒内に客土や苗木を入れて置くことは可能ではあるが、その底部が下端に近いため、全長が２０ｃｍ以上もある筒体にあっては、客土を詰める深さが必要以上に深くなり、播種の場合は発芽の効率が悪くなる。
【０００９】
上記の特許文献３の請求項１は、全長の中間に節を位置させてあるが、節部の内部の節（横隔壁）は切除されて上下貫通した形状であり、施工に当たっては、植栽ポットを植栽したい場所に打ち込み、下端側の周壁が土中に埋まる位置まで圧入すると、植栽ポット内の土高さが節部の位置になるようにしてある。したがって、地面に打ち込む前に竹筒内に客土を種子や苗木等と共に入れると下側からこぼれ落ちてしまい、不適である。
【課題を解決するための手段】
【００１０】
そこで、本考案は従来の課題を解決し、予め多数の筒体に客土と種子を均一に詰めておき、これを施工現場に運搬し、植生基盤層に順次に且つ一挙に打ち込んで発芽と、発根による根活着の効率が図れるようにして、竹材の積極的且つ有効活用を図ることを目的とする。
【００１１】
本考案の第１は、種子育成緑化用竹製ポットにおいて、内径が２．５〜４．０４ｃｍ以内を可とする竹筒を節部が中間位置になるようにして長さが２０ｃｍ〜２５ｃｍ程度の本体とし、その本体の下端部位を鋭角に斜断して鋭角切り口とし、且つ上端部位も下端の鋭角切り口と同じ向きで斜断して鋭角切り口とし、下端の最長の鋭角先端部を除く鋭角切り口の直径方向に鋸目の切り溝を入れて上端の鋭角切り口に所定幅の繋ぎ部を残して複数のスリットを形成し、本体の節部より上側の筒内に客土を敷き詰め、その客土の上にコナラ、ミズナラ、クヌギ等のドングリ又は在来種等の種子を発芽と発根し易い向きに置くと共に、その上から客土を覆土したものである。
【考案の効果】
【００１２】
本考案は上記の構成であるから、次のような効果がある。第１に本体の全長の中間に位置する節部で鋸によりスリット部位を除いて略全面の底部が形成されているから、あらかじめ客土を敷き詰め、そのドングリ等の種子を発芽と発根しやすい向きに置き、その上から客土を詰めておくことにより工場生産に適する。また、これを現場に運搬して即座に打込み施工することができ、竹材の有効活用と共に、播種によって、苗木の養成を省くことができる。
【００１３】
本体の下端から上方に向かって繋ぎ部を残して直径方向にスリットが形成されていることにより、節部による底部がありながら、当該スリットが発根した根が伸びていく隙間となり、且つ水抜き孔の役割を果たしている。また、本体周面のスリットにより土中の水分を受け入れると共に、過剰な水分を排出する効果がある。
【００１４】
さらに、本体の内径を２．５〜４．０ｃｍ程に設定したから、ハタネズミ、リス等野性小動物が筒内の種子を食い漁ろうとしても頭が入らず、且つ種子を収容してある位置が上端の切り口から６ｃｍほどの深さであるから手足が届くことがなく、捕食被害を防ぐことができる。
【００１５】
そして、本体下端の斜断した切り口を法肩（法面の上端部位）に向け、且つ法先（法面の下端部位）に位置する下端側の最長の鋭角先端部を法面に打ち込むことによって、当該鋭角先端部も法肩方向に向くから地中において、上部から流下してくる水分を受け止めて保水機能を高めることができる。また、上端の斜断した切り口も法肩に向くから、上端の最長の鋭角先端部によって、法面を伝わって流下する水分を受け止め、保水性を高めることができる。
【考案を実施するための最良の形態】
【００１６】
本考案を実施するための最良の形態は次のとおりである。すなわち、内径が３ｃｍ程度の多数本の竹筒を用意し、その竹筒の節部が中間に位置するようにして２０ｃｍ〜２５ｃｍ程度の長さに丸鋸機械等を用いてい切り揃えて本体とする。
【００１７】
次に、その本体の下端部位を鋭角に斜断して鋭角の切り口とし、且つ上端部位も下端の鋭角切り口と同じ向きに斜断して鋭角切り口とする。そして、本体下端の切り口から上方に向け、丸鋸機械の鋸刃で当該最長の鋭角先端部側を残して切り溝を入れ、上端から所定幅の繋ぎ部を残して３本のスリットを形成する。
【００１８】
本体の節部より上側の筒内にを敷き詰め、その客土の上にコナラ、ミズナラ、クヌギ等のドングリその他在来種等の種子を発芽と発根し易い向きに横向き置くと共に、その上から客土を覆土する。
【００１９】
この状態で、地山に客土を吹き付けて植生基盤層とした法面の所定個所に下端の最長の鋭角先端部を法先に位置させ、斜断切り口を法肩に向けて打ち込み、上端の鋭角切り口の最短部位が法面の表面に接する程度まで打ち込む。
【実施例】
【００２０】
本考案の実施例を図面に即して説明する。１は内径Ｒが２．５〜４．０ｃｍ以内で好ましくは３．０ｃｍ程度を可とする竹筒を用い、その竹筒の節が中間に位置するようにして２０ｃｍ〜２５ｃｍ程度の長さに切り揃えて成る本体である。２は本体１の下端部位を鋭角に斜断して成形した鋭角な切り口、３は本体１の上端部位を下端の鋭角切り口２と同じ向きで斜断して成形した鋭角な切り口、４は下端の最長の鋭角先端部２1を除くと共に、その最長の鋭角先端部に平行する二方向と直交する一方向に丸鋸機械の鋸刃Ｓによって本体上方に向かって切り溝を入れて上端の鋭角切り口３に所定幅ｗの繋ぎ部５を残して形成した３本のスリットである。繋ぎ部５の幅ｗは、図示例で約２ｃｍ（１個所）と３ｃｍ（２個所）を示すが、８ｃｍ位に設定する場合もある。また、そのスリット幅は任意であるが、鋸歯の幅の選択により１．５〜５．０ｍｍ程度に設定することができる。
６は本体１の節部９より上側の筒体の内部、７はその内部に敷き詰めた客土、８はその客土７の上に発芽と発根がし易いように配置したドングリその他の在来種等の種子、７′はその種子の上から覆い被せた客土である。
前記の客土は、台風や道路の新規建設や拡幅工事などで発生する倒木や伐採樹木を自治体の要請で産業廃棄物として本件出願人らが受け入れた根株に付着している土をふるい落としたり、掻き落としたものを使用することによって大量に貯まる土を再利用することができる。
【００２１】
「具体的な施工例」
次に本考案に係る種子育成緑化用竹製ポット及びその竹製ポットを使って法面緑化の具体的な施工例を次の通り説明する。
(1)  真竹の繁殖地から土砂と共に、又は根元付近から切り出して枝葉を切り払う。
(2)  真竹の幹を内径が２．５〜４．０ｃｍ、好ましくは３．０ｃｍ程度の太さのものを選び出し、且つ節部９をほぼ中間に位置するようにして丸鋸機械を用いて所定の高さＨ＝２０〜２５ｃｍに切り揃えて本体１とする。その下半部の高さＨ1＝１０．０ｃｍ、上半部Ｈ2＝２０．０〜２２．０ｃｍに設定する。
(3)  本体１の下端部を斜めに切り落として鋭角な切り口２を形成する。
(4)  本体１の上端部を下端の切り口２と同じ向きで斜めに切り落として鋭角切り口３を形成する。
(5)  最長の鋭角先端部２1の対向側から丸鋸Ｓで切れ目を入れ、最長の鋭角先端部２1側の幅ｗ＝２ｃｍ程の繋ぎ部５を残してスリット４を形成する。
(6)  続いて、下端切り口２における最長の鋭角先端部２1の高さ面側を避けた直径方向に向かって二方から丸鋸機械の鋸支持部材Ｃを介してで切り溝を入れ、本体１の上方に向かって幅ｗ＝３ｃｍ程の繋ぎ部５を残してスリット４を形成する。この場合、作業テーブルＢから上方に露出する鋸Ｓを上記(5)の位置より高くなるように調整する。この場合、テーブルＢを上下同して高さ調整することもある。
(7)  これによって、筒体内６の節部９に十字形のスリット４が形成される。
(8)  本体１の節部９を境にしてその上半部の筒内６に客土７を高さＨ3＝約４ｃｍで敷き詰める。
(9)  上記の客土７の上にドングリその他の種子８を発芽や発根し易い向き（図示で横向き）に置く。
(10)  その種子８の上から客土７′を高さＨ4＝約６ｃｍで覆土する。
(11)  上記の(1)から(10)までの作業は、予め工場で製造しておく。
(12)  客土７・７′及び種子８を詰めた必要数量の本体１を目的の造林地現場まで運搬する。
(13)  施工現場は、予め別途の工事で地山Ａ１に植生基盤材を吹き付けて約２０ｃｍの厚さで植生基盤層Ａ2を成形する。
(14)  所定の個所に本体１の下端の最長先端部位２1を法先側に位置すると共に、下端切り口２を法肩に向けて起立させて植生基盤層Ａ2に押し込む。
(15)  植生基盤層Ａ2は比較的軟質であるから本体１を手足で押し込むことができるが、それでも硬いときは、傾斜頭部専用の叩打用キャップ１０を用い、且つハンマ又は太棒等で叩いて植生基盤層Ａ2に打ち込んでいく。
(16)  打ち込む量は、上端の最短部位３2が法面Ａの表面に接する程度に設定する。
(17)  打ち込み施工後に法面Ａに降った雨等による水分は、地中にあっては、下端部の最長先端部位２1で受け止めて保水する。また、地上にあっては上端部位の最長先端部位３1で法面を伝わって流下する水分を受け止めて保水する。
(18)  期間の経過によって、種子８の発芽８′は客土７′を通って上方に伸びていき、発根（図示省略）した根は、節部９に形成されたスリット４を通じて筒内の下方に伸びていく。また、本体１の周面に形成した３本のスリット４からも発根の根がはみ出して土中で活着する。
【図面の簡単な説明】
【００２２】
【図１】本考案に係る播種育成ポットの側面図である。
【図２】図1の中央縦断側面図である。
【図３】図1の３−３線に沿う断面図である。
【図４】図３の打ち込みによる下端部位の変形断面図である。
【図５】本体の直径二方向へのスリット成形加工図である。
【図６】図５の本体を軸心を中心に90度回転した状態で直径一方向へのスリット成形加工図である。
【図７】ポット内に播種した種子から発芽した状態の斜視図である。
【符号の説明】
【００２３】
１…竹筒製本体
２…本体下端の鋭角切り口
３…本体上端の鋭角切り口
４…スリット
５…繋ぎ部
６…竹製本体の上半部の筒内
７・７′…客土
８…種子
９…底部を成す節部
【図１】
0003118738.tif 000003
【図２】
0003118738.tif 000004
【図３】
0003118738.tif 000005
【図４】
0003118738.tif 000006
【図５】
0003118738.tif 000007
【図６】
0003118738.tif 000008
【図７】
0003118738.tif 000009